(57)【要約】【課題】  発光管の端部に対してソケットの装脱着が行われても、輝度が変わることのない照明構造、照明構造に用いる発光管及びソケット、照明構造に用いる光量調整方法を提供する。【解決手段】  ガラス管体２１の両端部２１ａ，２１ａには、ソケットとしての防湿ソケット３０…が、各々着脱可能に嵌着されている。    更に、この防湿ソケット３０には、これらの各端部２１ａ，２１ａと電源や、或いは、隣接配置される他の蛍光ランプ２０の防湿ソケット３０，３０との間を接続する被覆リード線２５，２５が、各々装脱着可能に接続されている。  端子３３は、蛍光ランプ２０のガラス管体２１の外側面のガラス面に直接、接触することにより、外部電極として機能して、端子３３に電力が供給されることにより、蛍光ランプ２０が発光される。【選択図】図１
2006294445.tif 000002
【特許請求の範囲】
【請求項１】
発光管の端部を挿抜入することにより、装脱着可能に形成されたソケット本体の内部に、該端部の外周面に直接接触して、外部電極として機能する金属電極を設け、該金属電極に電力を供給することにより、該発光管を発光させることを特徴とする照明構造。
【請求項２】
前記発光管は、ガラス管体内に通電により発光する放電ガスを封止して発光管本体を構成すると共に、該発光管本体の端部には、前記金属電極が、該端部のガラス外周面に直接、接触されるように装脱着可能に設けられることを特徴とする請求項１記載の照明構造に用いる発光管。
【請求項３】
前記発光管の端部に、装脱着可能に装着されるソケット本体の内部に、該端部の外周面に直接接触することにより、外部電極として機能する金属電極を有することを特徴とする請求項１記載の照明構造に用いるソケット。
【請求項４】
ソケット本体の一方の発光管側開口部から発光管の端部を、装脱着可能に挿入すると共に、該ソケット本体の内部に、該端部の外周面に直接接触して、外部電極として機能する金属電極を設け、該金属電極が該外周面に接触する接触面積を変更することにより、電流の供給により該発光管が発光する際の輝度を調整することを特徴とする請求項１記載の照明構造に用いる光調整方法。
【発明の詳細な説明】
【技術分野】
【０００１】
本発明は、電飾等の発光看板のバックライトや各種照明装置等の照光に使用される発光管に用いる照明構造、該照明構造に用いる発光管及びソケットに関し、特に、外部電極として、カーボンなどの導電材料を設けない発光管本体を用いる照明構造、該照明構造に用いる発光管及びソケット、照明構造に用いる光調整方法を提供するものである。
【背景技術】
【０００２】
従来、液晶表示装置１等、屋内で使用される小型の表示装置のバックライトとして、図１１に示すように、発光管としての外部電極蛍光ランプ２ａ…を複数本、隣接させて並設することにより、略面状のバックライト部２を構成するものが提案されている（例えば、特許文献１等参照）。
【０００３】
このような従来のものでは、各外部電極蛍光ランプ２ａの長尺状のガラス管体の両端部の外側にカーボンなどの導電材料を設けて形成された外部電極部２ｂ，２ｂを、反射板４の上側外表面に露出された一対の帯状の導電体によって構成される電極連結線３，３に各々接触させて、電源部からの電力が供給されるように構成されている。
【０００４】
次に、この従来の外部電極蛍光ランプ２ａを用いた液晶表示装置１の作用について説明する。
【０００５】
このように構成された外部電極蛍光ランプ２ａを用いた液晶表示装置１では、各外部電極蛍光ランプ２ａの長尺状のガラス管体の両端部の外側に各々形成された外部電極部２ｂ，２ｂに、前記電極連結線３，３を介して、電源部から電力を供給することにより、並列方式で、全ての外部電極蛍光ランプ２ａ…が駆動される。
【０００６】
これらの外部電極蛍光ランプ２ａ…の照光は、拡散板５を介して、図示省略の液晶表示面等を裏面側から略均等に照明する。
【０００７】
また、前記特許文献１には、図１２及び図１３に示すような上側電極板７と下側電極板８とを合わせて、多重カプセル電極構造物６，６を構成し、内側の凹溝部７ａ…，８ａ…を所定の間隔で、凹設することにより、前記各外部電極蛍光ランプ２ａの両端部に形成された外部電極部２ｂ，２ｂを一定間隔で装着させるものも記載されている。
【０００８】
このようなものでは、前記多重カプセル電極構造物６，６から延設される電線９，９を介して、電力が供給されることにより、前記外部電極蛍光ランプ２ａ，２ａが並列駆動されて点灯する。
【特許文献１】特開２００２−８４０８号公報（段落００２９乃至００５７、図１乃至図１４）
【発明の開示】
【発明が解決しようとする課題】
【０００９】
しかしながら、このような従来の外部電極蛍光ランプ２ａ…を用いたバックライト部２では、前記カーボンなどの導電材料が設けられた外部電極部２ｂ，２ｂに直接、前記電極連結線３，３を接触させて通電している。
【００１０】
また、図１２及び図１３に示すようなものでも、多重カプセル電極構造物６，６内の凹溝部７ａ…，８ａ…に、外部電極２ｂ，２ｂを挿抜して装着するようにしているため、挿抜時に、外部電極部２ｂ，２ｂの表面に設けられた導電材料が、擦れて剥がれてしまう虞があった。
【００１１】
このため、通電量が変わってしまい、所望の輝度が得られないといった問題があった。
【００１２】
特に、図１２及び図１３に示すような多重カプセル電極構造物６，６を用いるものでは、１本の外部電極蛍光ランプ２ａを交換する際に、他の外部電極蛍光ランプ２ａ…も挿抜しなければならず、前記導電材料の剥がれ量も増大して更に、安定した輝度を得ることが困難であった。
【００１３】
そこで、この発明は、発光管の端部に対してソケットの装脱着が行われても、輝度が変わることのない照明構造、該照明構造に用いる発光管及びソケット、該照明構造に用いる光量調整方法を提供することを課題としている。
【課題を解決するための手段】
【００１４】
上記目的を達成するために、請求項１に記載された発明は、発光管の端部を挿抜入することにより、装脱着可能に形成されたソケット本体の内部に、該端部の外周面に直接接触して、外部電極として機能する金属電極を設け、該金属電極に電力を供給することにより、該発光管を発光させる照明構造を特徴としている。
【００１５】
また、請求項２に記載されたものは、前記発光管は、ガラス管体内に通電により発光する放電ガスを封止して発光管本体を構成すると共に、該発光管本体の端部には、前記金属電極が、該端部のガラス外周面に直接、接触されるように装脱着可能に設けられる請求項１記載の照明構造に用いる発光管を特徴としている。
【００１６】
更に、請求項３に記載されたものは、前記発光管の端部に、装脱着可能に設けられるソケット本体の内部に、該端部の外周面に直接接触することにより、外部電極として機能する金属電極を有する請求項１記載の照明構造に用いるソケットを特徴としている。
【００１７】
そして、請求項４に記載されたものは、ソケット本体の一方の発光管側開口部から発光管の端部を、装脱着可能に挿入すると共に、該ソケット本体の内部に、該端部の外周面に直接接触して、外部電極として機能する金属電極を設け、該金属電極が該外周面に接触する接触面積を変更することにより、電流の供給により該発光管が発光する際の輝度を調整する請求項１記載の照明構造に用いる光調整方法を特徴としている。
【発明の効果】
【００１８】
このように構成された本願発明の請求項１記載のものは、発光管の端部が挿抜入されるソケット本体の内部に設けられた金属電極が、該発光管の端部の外表面に直接接触して、外部電極として機能して、電気的に導通が行われる。
【００１９】
このため、前記発光管の端部に、従来のようなカーボンなどの導電材料によって構成される外部電極部を設ける必要がない。
【００２０】
従って、前記ソケット本体の装脱着回数等に影響されず、常に、安定した照度を得ることが出来る。
【００２１】
また、請求項２に記載されたものは、該発光管本体の端部には、前記金属電極が、該端部のガラス外周面に直接、接触されるように構成されているので、従来のようなカーボンなどの導電材料によって構成される外部電極部を設ける必要がない。
【００２２】
このため、発光管の製造工程数及び、カーボンなどの導電材料を削減出来、製造コストを減少させることができる。
【００２３】
更に、請求項３に記載されたものは、ソケット本体の内部に、外部電極として機能する金属電極を有しているので、該ソケットを前記発光管の端部に装脱着するだけで、容易に該金属電極を、該端部に接触させて電流を導通させることができる。
【００２４】
このため、該ソケット本体を用いて、配線も容易に行えると共に、該端部の導電部分の保護を行える。
【００２５】
そして、請求項４に記載されたものは、前記ソケット本体の一方の発光管側開口部から発光管の端部が、挿入されて、該ソケット本体の内部で、前記金属電極の前記端部の外周面に接触する接触面積を変更することにより、電流の供給により該発光管が発光する際の輝度が調整できる。
【００２６】
このため、所望の輝度を得られて、輝度ムラを容易に解消できる。
【発明を実施するための最良の形態】
【００２７】
次に、図面に基づいて、この発明を実施するための最良の実施の形態の照明構造、該照明構造に用いる発光管及びソケットについて説明する。
【００２８】
図１乃至図１０は、この発明の実施の形態の照明構造、該照明構造に用いる発光管及びソケットを示すものである。
【００２９】
まず、構成から説明すると、この実施の形態では、主に発光管としての蛍光ランプ２０に、電圧が印可されることにより、ガラス管体２１の中空部内部に封止された放電ガス２１ｂを、電磁場を発生させてプラズマとして発光するＥＥＦＬ駆動方式が採用されている。
【００３０】
このＥＥＦＬ駆動方式では、ガラス管体２１の中空部内部に電極が無いため、比較的、耐久性が良好（ＣＣＦＬ駆動方式が、約４０,０００時間に対し、ＥＥＦＬ駆動方式が、約６０,０００〜８０,０００時間）で、例えば、長期間用いられる発光看板の光源の交換に伴うメンテナンス頻度を減少させることができる。
【００３１】
また、この実施の形態に用いられる蛍光ランプ２０の管径は、約５．０ｍｍφで、通常の蛍光ランプの管径（約２０ｍｍ〜４０ｍｍφ）に比して、小径である。
【００３２】
そして、これらのガラス管体２１の両端部２１ａ，２１ａには、この実施の形態のソケットとしての防湿ソケット３０…が、各々着脱可能に嵌着されている。  
【００３３】
更に、この防湿ソケット３０には、これらの各端部２１ａ，２１ａと図示省略の電源や、或いは、隣接配置される他の蛍光ランプ２０の防湿ソケット３０，３０との間を接続する被覆リード線２５，２５が、各々装脱着可能に接続されている。
【００３４】
次に、防湿ソケット３０の構成について詳述する。
【００３５】
この実施の形態の防湿ソケット３０には、樹脂成型品によって構成されるソケット本体としての樹脂製ソケット本体３１が、設けられている。
【００３６】
この樹脂製ソケット本体３１は、図２に示すように、軸方向に沿って中心軸近傍に穿設された端子保持空間部３１ａを有することにより、両端部に開口形成された発光体側開口部としてのランプ側開口部３１ｂと、リード線側開口部３１ｃとの間が連通された略円筒形形状に形成されている。
【００３７】
また、この樹脂製ソケット本体３１の長手方向中央部の外周面には、環状に係止凹溝部３１ｄが、凹設形成されている。
【００３８】
そして、この端子保持空間部３１ａ内に、金属製の金属電極としての端子３３が挿入された状態で、前記リード線側開口部３１ｃに嵌着される略小判形状を呈する抜け止め部材３２によって抜け止めされて、保持されるように構成されている。
【００３９】
この端子３３は、前記蛍光ランプ２０のガラス管体２１の外側面のガラス面に直接、接触することにより、外部電極として機能して、この端子３３に電力が供給されることにより、この蛍光ランプ２０が発光されるように構成されている。
【００４０】
この端子３３には、長板状の基部３３ｅに、前記ランプ側開口部３１ｂから挿入された前記蛍光ランプ２０の端部２１ａの外周面を、略全面に渡り両側から挟持して電気的に導通させる断面半円弧状の接触片３３ａ，３３ａが、左，右一対で、下面側では連続して一体となるように構成されている。
【００４１】
この接触片３３ａ，３３ａは、上面側に設けられたスリット３３ｇによって、縦方向左，右に分割されて前記蛍光ランプ２０の端部２１ａを容易に装脱着可能とするように、拡開方向への弾性変形が許容されて挿入可能とすると共に、これらの接触片３３ａ，３３ａ間に端部２１ａが挿入された状態では、前記端部２１ａのガラス外周面に直接、内側面を略均等の圧力で接触させるように、略同一の曲率を有して構成されている。
【００４２】
また、この端子３３の基部３３ｅには、前記リード線側開口部３１ｃ近傍に位置して、樹脂製ソケット本体３１の段部３１ｅと、前記ランプ側開口部３１ｂとの間の位置で、この段部３１ｅと、抜け止め部材３２とによって挟持されて固定される立壁部３３ｂが、一体に設けられている。
【００４３】
この立壁部３３ｂには、前記被覆リード線２５の端部から露出する金属ワイヤ状の導線２５ａが挿通されて、リード線接続部を構成する導線用開口部３３ｃが開口形成されている。
【００４４】
そして、この導線用開口部３３ｃの上縁部から、抑え片３３ｄが、下方に向けて一体となるように延設されている。この押え片３３ｄには、ガイド三角凹部３３ｆ，３３ｆが左，右一対形成されていて、前記各被覆リード線２５，２５の挿通によって、導線２５ａ，２５ａの先端が、このガイド三角凹部３３ｆ，３３ｆに当接して、導線２５ａ部分が屈曲して、押圧方向への力が離散しないようにガイドされることにより、これらの導線２５ａが挿入される方向に向けて、前記抑え片３３ｄを弾性変形させて、下端縁が揺動することより、前記導線用開口部３３ｃの下縁との間に、前記導線２５ａが、挾まれて係止されるように構成されている。
【００４５】
また、前記抜け止め部材３２には、前記被覆リード線２５が挿通される丸孔３２ａ，３２ａが、前記導線用開口部３３ｃの下縁と、抑え片３３ｄの下端縁との間に対応して、左，右一対形成されている。
【００４６】
そして、これらの防湿ソケット３０には、前記ランプ側開口部３１ｂ側及び、前記リード線側開口部３１ｃ側から、樹脂製ソケット本体３１を被覆する防湿部材としての略円筒形形状のランプ側シリコンカバー部材３４及びリード線側シリコンカバー部材３５が、各々外嵌されている。
【００４７】
このうち、図４に示すように、ランプ側シリコンカバ−部材３４には、大筒部３４ａが設けられていて、この大筒部３４ａの一端部開口周縁には、前記係止凹溝部３１ｄの一側端縁に係止される係止フランジ部３４ｂが、内側に向けて一定の幅で、一体に突設形成されている。
【００４８】
このランプ側シリコンカバー部材３４の他端部には、前記蛍光ランプ２０のガラス管体２１外周面に内周面を圧着させてシールを行う筒状のランプ挿入穴部３４ｃが形成されていて、前記他端部から一定高さｈ１筒状部分が突設されることにより、シール代が大きくなるように構成されている。
【００４９】
また、前記リード線側シリコンカバー部材３５には、大筒部３５ａが設けられていて、この大筒部３５ａの一端部開口周縁には、前記係止凹溝部３１ｄの他側端縁に係止される係止フランジ部３５ｂが、内側に向けて一定の幅で、一体に突設形成されている。
【００５０】
このリード線側シリコンカバー部材３５の他端部には、前記被覆リード線２５，２５が各々挿通されると共に、被覆部分の外周面に内周面を圧着させてシールを行う一対のリード線挿通穴部３５ｃ，３５ｃが形成されている。
【００５１】
このリード線挿通穴部３５ｃ，３５ｃは、前記他端部から一定高さｈ２、突設されることにより、各被覆リード線２５，２５との間のシール代が大きくなるように構成されている。
【００５２】
そして、これらの蛍光ランプ２０…の各端部に嵌着された前記防湿ソケット３０は、隣接配置される蛍光ランプ２０の防湿ソケット３０と、被覆リード線２５…を介して連結接続されて、他の被覆リード線を介して、インバータ装置等の電源に接続されて、電力線を介して、ＡＣアダプタ等から、２４Ｖ直流電流に減圧された電力が供給されるように構成されている。この実施の形態では、入力される電流が、約８０ｋＨｚ以下の矩形波として、前記上，下各列の各端子３３，３３に、嵌着される各蛍光ランプ２０…を並列駆動させるように供給される構成としている。
【００５３】
次に、この実施の形態の蛍光ランプ２０の作用について説明する。
【００５４】
まず、防湿ソケット３１の組立順序に沿って説明すると、この実施の形態では、図８に示すように、予め前記端子３３を樹脂製ソケット本体３１の端子保持空間部３１ａ内に挿入すると共に、前記抜け止め部材３２によって、この端子３３の立壁部３３ｂが、前記樹脂製ソケット本体３１内に形成された段部３１ｅとの間に、挟持されて固定される。
【００５５】
また、図７に示すように、樹脂製ソケット本体３１の前記ランプ側開口部３１ｂ側及び、前記リード線側開口部３１ｃ側から、前記ランプ側シリコンカバー部材３４及びリード線側シリコンカバー部材３５が、各々この樹脂製ソケット本体３１を被覆するように外嵌される。
【００５６】
この際、この実施の形態では、前記防湿部材が、ランプ側シリコンカバー部材３４及びリード線側シリコンカバー部材３５に二分割されていて、前記樹脂製ソケット本体３１のうち、前記外部電極蛍光ランブ２０の端部２１ａが設けられた端部が挿入されるランプ側開口部３１ｂが、ランプ側シリコンカバー部材３４で覆われ、また、前記樹脂製ソケット本体３１のうち、前記リード線２５の導線２５ａを着脱可能に挿通するリード線側開口部３１ｃが、リード線側シリコンカバー部材３５で覆われることにより、容易に水密状態とすることができる。
【００５７】
この嵌着の際、前記ランプ側シリコンカバー部材３４の係止フランジ部３４ｂが形成されている端部の開口の内径は、前記樹脂製ソケット本体３１の外径よりも小さく設定されていれば良く、このランプ側シリコンカバー部材３４を構成するシリコンラバー材が、拡開変形されて、嵌着されると、前記係止フランジ部３４ｂが、前記係止凹溝部３１ｄの一側端縁に係止されると共に、前記樹脂製ソケット本体３１の外周面に圧着されて、嵌着させた方向と逆方向への移動が阻止される。
【００５８】
このため、容易に、このランプ側シリコンカバー部材３４が、前記樹脂製ソケット本体３１から脱落する虞が減少する。
【００５９】
また、前記リード線側シリコンカバー部材３５の係止フランジ部３５ｂが形成されている端部の開口の内径は、前記樹脂製ソケット本体３１の外径よりも小さく設定されていれば良く、このリード線側シリコンカバー部材３５を構成するシリコンラバー材が、拡開変形されて、嵌着されると、前記係止フランジ部３５ｂが、前記係止凹溝部３１ｄの他側端縁に係止されると共に、前記樹脂製ソケット本体３１の外周面に圧着されて、嵌着させた方向と逆方向への移動が阻止される。
【００６０】
このため、容易に、このリード線側シリコンカバー部材３５が、前記樹脂製ソケット本体３１から脱落する虞が減少する。
【００６１】
次に、蛍光ランプ２０の両端部２１ａ，２１ａへ、これらの防湿ソケット３０，３０が装着される。
【００６２】
すなわち、図２に示すように、前記蛍光ランプ２０の端部２１ａが、この防湿ソケット３０のランプ側開口部３１ｂ側に設けられた大筒部３４ａの一端部開口から挿入されて、嵌着される。
【００６３】
前記樹脂製ソケット本体３１内部に設けられた端子３３の接触片３３ａ，３３ａ間に、前記樹脂製ソケット本体３１の一方のランプ側開口部３１ｂから、蛍光ランプ２０の端部２１ａが挿入されることによって、前記上面側に設けられたスリット３３ｇから、縦方向左，右へこれらの接触片３３ａ，３３ａが拡開されると共に、挿入状態では、弾性復帰力によって、前記端部２１ａのガラス外周面に直接、内側面が略均等の圧力で接触されて挟持され、このガラス管体２１が、端部２１ａで支持される。
【００６４】
このため、容易に装着出来ると共に、金属製の接触片３３ａ，３３ａが直接、ガラス製の蛍光ランプ２０の外周面に接触される。
【００６５】
また、前記リード線側開口部３１ｃ側の丸孔３２ａ，３２ａから、前記被覆リード線２５が挿通されると、導線用開口部３３ｃの下縁と、前記抑え片３３ｄの下縁との間に前記導線２５ａが、挾まれて係止されることにより、被覆リード線２５が接続されて、電気的に導通される。
【００６６】
このため、前記蛍光ランプ２０の両端部２１ａ，２１ａに、従来のようなカーボンなどの導電材料によって構成される外部電極部を設ける必要がない。
【００６７】
従って、前記防湿ソケット３０の装脱着回数等に影響されず、常に、安定した照度を得ることが出来る。
【００６８】
更に、この実施の形態では、前記上面側に設けられたスリット３３ｇによって、縦方向左，右に分割されている部分以外は、全周域に渡り、円弧形状の接触片３３ａ，３３ａの内側面が、前記端部２１ａのガラス外周面に直接、略均等に接触されている。
【００６９】
このように、ガラス管体２１の端部２１ａには、前記金属電極が、端部２１ａのガラス外周面に直接、接触されるように構成されているので、更に、電気的な導通は良好で、従来のようなカーボンなどの導電材料によって構成される外部電極部を設ける必要がない。
【００７０】
このため、蛍光ランプ２０の製造工程数及び、カーボンなどの導電材料を削減出来、製造コストを減少させることができる。
【００７１】
更に、前記樹脂製ソケット本体３１の内部に、外部電極として機能する端子３３を有しているので、樹脂製ソケット本体３１，３１を前記蛍光ランプ２０のガラス管体２１の両端部２１ａ，２１ａに装脱着するだけで、容易に金属電極を、端部２１ａに接触させて電流を導通させることができる。
【００７２】
このため、樹脂製ソケット本体３１を用いて、被覆リード線２５の配線が容易に行えると共に、端部２１ａ，２１ａの電気的導電部分を、この防湿ソケット３０で覆うことにより、物理的衝撃からの保護を行える。
【００７３】
更に、この実施の形態では、前記ランプ側シリコンカバー部材３４及びリード線側シリコンカバー部材３５が嵌着されることによって、前記樹脂製ソケット本体３１の外側が被覆される。
【００７４】
これらの被覆によって、前記蛍光ランプ２０は、ガラス管体２１の外周面部が、前記ランプ挿入穴部３４ｃの内周面に、一定の高さ寸法ｈ１で圧着されると共に、前記リード線２５の被覆部分の外周面が、前記リード線挿通穴部３５ｃの内側面に圧着されて、シールが行われ、端部２１ａと、端子３３との接触する部分及び前記リード線２５の導線２５ａと端子３３との接触部分が、前記樹脂製ソケット本体３１の内側で、密閉されて、水密状態とすることができる。
【００７５】
また、図８中、二点鎖線若しくは一点鎖線で示すように、防湿ソケット３０への前記端部２１ａの挿入寸法を変更することにより、樹脂製ソケット本体３１の内部で、前記端子３３の接触片３３ａ，３３ａと、前記ガラス管体２１の端部２１ａの外周面とが、接触する長手方向接触長さＬ１，Ｌ２…Ｌを自在に変更出来、電気的導通に用いられる接触面積を容易に変更させることが出来る。
【００７６】
例えば、接触面積が比較的大きい寸法Ｌの接触面積の方が、比較的小さい寸法Ｌ１，Ｌ２（Ｌ１＜Ｌ２）よりも、輝度を明るくすることが出来る。
【００７７】
このため、一定の電流の供給が行われていても、挿入寸法のみを変更することにより、蛍光ランプ２０が発光する際の輝度が調整出来、所望の輝度を得られて、輝度ムラを容易に解消できる。
【００７８】
特に、この実施の形態では、図１に示すように、各蛍光ランプ２０の両端部に個別に、前記防湿ソケット３０，３０が設けられているので、複数本の蛍光ランプ２０を平面状の発光看板の光源として用いる場合等、容易に個別の輝度調整が行えて、照明ムラを減少させることができる。
【実施例１】
【００７９】
前記両側の端子３３，３３に電力を供給する電源としてのインバータの入力電圧が、２４Ｖに固定されている。
【００８０】
この際の前記蛍光ランプ２０の全光束は、３３５〜４２７ｃｄ／平方メートルで、殆ど変わらないが、輝度が約１１０００ｃｄ／平方メートルとなるように、前記防湿ソケット３０への前記端部２１ａの挿入寸法が調整されて、樹脂製ソケット本体３１の内部で、前記端子３３の接触片３３ａ，３３ａと、前記ガラス管体２１の端部２１ａの外周面とが、接触する長手方向接触長さＬ１，Ｌ２…Ｌを自在に変更することにより安定させた。
【００８１】
このため、例えば、輝度の調整のために、インバータの入力電圧を可変制御（例えば、約１９Ｖ〜２４Ｖ等）する必要が無くなり、可変制御回路等の構成が不要で、回路構成の簡略化により、製造コストの増大を抑制できる。
【００８２】
また、出力の異なるインバータが複数種類存在する場合でも、同一の端子３３を有する防湿ソケット３０で共用できるため、少品種を大量に量産することにより、製造コストを減少させることができる。
【００８３】
以上、図面を参照して、本発明の実施の形態を詳述してきたが、具体的な構成は、この実施の形態に限らず、本発明の要旨を逸脱しない程度の設計的変更は、本発明に含まれる。
【００８４】
即ち、前記実施の形態では、接触片３３ａ，３３ａと、前記ガラス管体２１の端部２１ａの外周面とが、接触する長手方向接触長さＬ１，Ｌ２…Ｌを自在に変更することにより、接触面積の調整を行っているが、特にこれに限らず、予め前記接触片３３ａ，３３ａ部分の長手方向寸法を長短させて形成することにより、接触面積の調整を行っても良く、接触片３３ａの形状、寸法及び材質が特に限定されるものではない。
【００８５】
また、例えば、前記実施の形態のように、上面部にスリットが設けられた円筒状に限らず、三角筒状、四角筒状或いは楕円筒状や、他の多角筒状であっても良く、形状、材質及び数量が特に限定されるものではない。
【図面の簡単な説明】
【００８６】
【図１】この発明の最良の実施の形態の照明構造、該照明構造に用いる発光管及びソケットで、要部の構成を説明する分解斜視図である。
【図２】実施の形態の照明構造、該照明構造に用いる発光管及びソケットで、図１中Ａ−Ａ線に沿った部分での断面図である。
【図３】実施の形態の照明構造、該照明構造に用いる発光管及びソケットに用いる防湿ソケットの構成を説明し、リード線側シリコンカバー部材を外した状態の端面図である。
【図４】実施の形態の照明構造、該照明構造に用いる発光管及びソケットで、ランプ側シリコンカバー部材のランプ挿入穴部を説明する端面図である。
【図５】実施の形態の照明構造、該照明構造に用いる発光管及びソケットで、ランプ側シリコンカバー部材及びリード線側シリコンカバー部材が、ソケット本体に嵌着された状態を示す側面図である。
【図６】実施の形態の照明構造、該照明構造に用いる発光管及びソケットで、リード線側シリコンカバー部材のリード線挿通穴部を説明する端面図である。
【図７】実施の形態の照明構造、該照明構造に用いる発光管及びソケットを説明し、ランプ側シリコンカバー部材及びリード線側シリコンカバー部材を、ソケット本体に嵌着する様子を示す側面図である。
【図８】実施の形態の照明構造、該照明構造に用いる発光管及びソケットで、要部の構成を説明する縦断面図である。
【図９】実施の形態の照明構造、該照明構造に用いる発光管及びソケットで、図８中Ｂ−Ｂ線に沿った位置での断面図である。
【図１０】実施の形態の照明構造、該照明構造に用いる発光管及びソケットで、図８中Ｃ−Ｃ線に沿った位置での断面図である。
【図１１】一従来例の液晶表示装置の構成を説明する分解斜視図である。
【図１２】他の従来例の液晶表示装置に用いられる発光管に使用する多重カプセル電極構造物の分解斜視図である。
【図１３】他の従来例の液晶表示装置で、多重カプセル電極構造物を発光管に用いる様子を説明する分解斜視図である。
【符号の説明】
【００８７】
２０            蛍光ランプ（発光管）
２１            ガラス管体（発光管本体）
２１ａ，２１ａ  端部
２５            被覆リード線
３０            防湿ソケット（ソケット）
３１            樹脂製ソケット本体（ソケット本体）
３３，３３      端子（金属電極）
【図１】
2006294445.tif 000003
【図２】
2006294445.tif 000004
【図３】
2006294445.tif 000005
【図４】
2006294445.tif 000006
【図５】
2006294445.tif 000007
【図６】
2006294445.tif 000008
【図７】
2006294445.tif 000009
【図８】
2006294445.tif 000010
【図９】
2006294445.tif 000011
【図１０】
2006294445.tif 000012
【図１１】
2006294445.tif 000013
【図１２】
2006294445.tif 000014
【図１３】
2006294445.tif 000015